(57)【特許請求の範囲】
【請求項１】
給湯用装置に用いられるポンプ装置であって、
上記ポンプ装置は、その回転水平面が吸入及び吐出される液体の液面と平行となるように回転し、その回転中心部の半径方向外側に放射状に延びる複数の羽根を有するインペラと、このインペラを回転自在に収納するポンプ室とを備え、このポンプ室には、上記インペラが回転することにより当該ポンプ室内に液体を吸入する吸入口と、吸入した液体を吐出させるために上記インペラの半径方向外側に配置された吐出口とが設けられ、上記ポンプ室の上記インペラの上端側に配置された面に、沸騰直後に気化し、この気化されたものが上記インペラの回転中心に発生する負圧によって大きくなる気泡を排出するための、上記半径方向外側に行くにしたがい重力と反する方向に傾斜し、この傾斜を伝わって上記インペラの上記半径方向外側へ上記気泡が移動できる傾斜部が設けられ、上記傾斜部は、上記ポンプ室の上記インペラの上端側に配置された面の上記吐出口近傍に設けられたことを特徴とするポンプ装置。
【請求項２】
前記ポンプ室の上方に前記インペラに対して隔壁によって隔てられた状態で対向するように回転マグネットが配置され、前記インペラは上記回転マグネットの回転に伴い上記隔壁を通した磁気吸引力によって上記回転マグネットに従動する従動マグネットを備えると共に、上記両マグネットは、前記回転水平面に対して略平行な面同士で上記隔壁を隔てて平面的に対向配置されたことを特徴とする請求項１記載のポンプ装置。
【請求項３】
前記傾斜部は、前記ポンプ室の前記インペラの上端側に配置された面の前記インペラの回転中心近傍から前記インペラの外側に対応する部位にかけて形成されたことを特徴とする請求項１記載のポンプ装置。
【請求項４】
前記ポンプ室の上方に前記インペラに対して隔壁によって隔てられた状態で対向するように回転マグネットが配置され、前記インペラは上記回転マグネットの回転に伴い上記隔壁を通した磁気吸引力によって上記回転マグネットに従動する従動マグネットを備え、上記回転マグネットおよび上記従動マグネットの一方もしくは双方の上記隔壁との対向面には、上記隔壁に形成された前記傾斜部に平行となるような傾斜面が形成され、この傾斜面が形成されたマグネットを上記隔壁に対して軸方向に近接配置したことを特徴とする請求項３記載のポンプ装置。
【請求項５】
前記吐出口に連通すると共に上方へ延出された吐出管を有し、前記吐出口の上記吐出管との連設部位であって前記ポンプ室と連続する部位に、前記ポンプ室に形成された傾斜部を半径方向外側に延長した傾斜部を設けたことを特徴とする請求項１から４のいずれか１項記載のポンプ装置。
【発明の詳細な説明】
【０００１】
【発明の属する技術分野】
本発明は、ジャーポット装置等に用いられるような小型でかつキャビテーション対策が要求されるものに適したポンプ装置に関する。
【０００２】
【従来の技術】
従来より、電動のポンプ装置を内蔵した給湯用のジャーポット装置が種々提案されている。なお、旧来、ポンプ装置内蔵型のジャーポット装置は、外装ケースの底面とこの外装ケース内に配置された貯水タンクの底面との間のスペース（貯水タンクの下側の部分）に、上述のポンプ装置を横置きに配置したものが主流であった。しかし、近年は、省スペース化等の理由によりジャーポット装置の全丈を低く抑える傾向があり、貯水タンク下部を薄型化するために貯水タンクの下部にポンプを配置せずに、貯水タンクの側壁の外側の部分にポンプ装置を縦置きにするものも種々提案されている。
【０００３】
このようなポンプ装置の主な構成は、駆動源となるモータと、モータの駆動力によってポンプ室内で回転するインペラと、このインペラを回転自在に格納するポンプ室からなっている。そして、ポンプ室には、貯水タンク内の液体を吸い込むための吸入口と、吸い込んだ液体をジャーポット装置の外部へ吐出するための吐出口が設けられている。吸入口には、貯水タンクの底面に一端が連結されたＵ字状の連結パイプの他端が連結されている。吐出口は、給湯口に一端が連結された管の他端が連結されている。このように構成されたポンプ装置は、インペラを回転させるとインペラの回転中心部に負圧が発生し、この負圧によって貯水タンク内の湯がポンプ室内に吸い込まれるようになっている。そして、吸い込まれた湯は、吐出口より吐出され、上述の管を介して給湯口からジャーポット装置の外部に吐出するようになっている。
【０００４】
【発明が解決しようとする課題】
給湯用のジャーポット装置は、用途上、貯水タンク内で沸騰させた湯を上述のポンプ装置によって外部へ吐出させるものとなっている。そのため、沸騰直後にすぐに給湯しようとすると、沸騰直後の湯が気化し、この気化されたものがインペラ中心で発生する負圧によって大きな気泡となる、いわゆるキャビテーション現象が発生する。この大きな気泡がインペラを包んでしまうと、インペラは空回りしてしまって湯が汲み上げられず、湯が給湯口から出なくなってしまうという問題がある。
【０００５】
なお、ポンプ装置のインペラの外径を小さく構成すると、上述の気泡がインペラの外側に逃げ易くなるため、気泡が吐出口から管を伝ってジャーポット装置の外部へ吐出され易くなることが経験的に知られている。このため、インペラの外径を小さくすれば、上述のキャビテーションの問題を軽減することが可能とはなる。しかしながら、インペラの外径を小さくすると、ポンプ効率が低くなり、湯の吐出量が低くなるという問題が生じる。なお、小さいインペラとし回転数を多くすれば、キャビテーションの問題を解消しつつ湯の吐出量を向上させることも可能となる。しかし、このようにすると消費電力が増大してしまい、近年の低電力化のニーズに応えられないものとなってしまう。
【０００６】
本発明の目的は、上述した問題に鑑みて、省電力で効率よく給湯するために外径の大きいインペラを低速回転させる構成とした場合においても、キャビテーション現象によるインペラの空回りが発生しにくい構成のポンプ装置を提供することにある。
【０００７】
【課題を解決するための手段】
かかる目的を達成するため、本発明のポンプ装置は、湯を貯める貯水タンクから湯を外部へ吐出させる給湯用装置に用いられるポンプ装置であって、ポンプ装置は、その回転水平面が吸入及び吐出される液体の液面と平行となるように回転し、その回転中心部の半径方向外側に放射状に延びる複数の羽根を有するインペラと、このインペラを回転自在に収納するポンプ室とを備え、このポンプ室には、インペラが回転することにより当該ポンプ室内に液体を吸入する吸入口と、吸入した液体を吐出させるためにインペラの半径方向外側に配置された吐出口とが設けられ、ポンプ室のインペラの上端側に配置された面に、沸騰直後に気化し、この気化されたものがインペラの回転中心に発生する負圧によって大きくなる気泡を排出するための、半径方向外側に行くにしたがい重力と反する方向に傾斜し、この傾斜を伝わってインペラの半径方向外側へ気泡が移動できる傾斜部が設けられ、傾斜部は、ポンプ室のインペラの上端側に配置された面の吐出口近傍に設けられたことを特徴としている。
【０００８】
上述の発明によれば、このポンプ装置をジャーポットの給湯用装置としてジャーポット内の貯水タンクの外側のスペースに縦置き配置した場合に、沸騰直後に発生するキャビテーション現象によるインペラの空回りを最小限に食い止めることが可能となる。すなわち、沸騰直後の湯をジャーポットの外部へ吐出させる場合に、インペラの回転中心に発生する負圧によって成長する気泡が、インペラの裏側、すなわちポンプ室の天板とインペラとの間のスペースに回り込むが、この気泡が傾斜部を伝ってインペラの外側へ移動する。このため、この気泡がインペラを包み込むように作用せず、吐出口より排出されることとなる。この結果、インペラの空回りによる湯の供給不全を防止することができる。
【００１０】
また、他の発明は、上述のポンプ装置において、ポンプ室の上方にインペラに対して隔壁によって隔てられた状態で対向するように回転マグネットが配置され、インペラは回転マグネットの回転に伴い隔壁を通した磁気吸引力によって回転マグネットに従動する従動マグネットを備えると共に、両マグネットは、回転水平面に対して略平行な面同士で隔壁を隔てて平面的に対向配置されている。
【００１１】
上述の発明によれば、両マグネットを、隔壁と対向する部位を共に平面とする同形状のマグネットで構成することが可能となる。そのため、両マグネットを同じ型構造で構成することができ、製造コストを低く抑えることができる。しかも、このような構成としても、両マグネットの隔壁に対する配置位置は上述の傾斜部の影響を受けないため、両者の軸方向における距離が増大することとはならない。したがって、両者間のマグネットカップリング力を低下させることなくエネルギー効率のよいポンプ装置とすることができる。
【００１２】
また、他の発明は、上述のポンプ装置において、傾斜部は、ポンプ室のインペラの上端側に配置された面のインペラの回転中心近傍からインペラの外側に対応する部位にかけて形成されている。そのため、キャビテーション現象によって発生しインペラの回転中心近傍に留まろうとする気泡を、より効率的にインペラの外側へ移動させることが可能となる。
【００１３】
また、他の発明は、上述のポンプ装置において、ポンプ室の上方にインペラに対して隔壁によって隔てられた状態で対向するように回転マグネットが配置され、インペラは回転マグネットの回転に伴い隔壁を通した磁気吸引力によって回転マグネットに従動する従動マグネットを備え、回転マグネットおよび従動マグネットの一方もしくは双方の隔壁との対向面には、隔壁に形成された傾斜部に平行となるような傾斜面が形成され、この傾斜面が形成されたマグネットを隔壁に対して軸方向に近接配置している。
【００１４】
そのため、隔壁に傾斜部が形成されることによる両マグネット同士の軸方向における距離の増大を防止できる。すなわち、上述の傾斜面を利用して回転マグネットおよび従動マグネットの一方もしくは双方を隔壁に対して軸方向に近接配置することにより両マグネット間の距離を近づけることができ、マグネットカップリング力をより発揮させることが可能となる。この結果、駆動源の力を効率よくインペラに伝達することができ、エネルギー効率のよいポンプ装置とすることができる。
【００１５】
【発明の実施の形態】
以下に、本発明の第１の実施の形態におけるポンプ装置を図１に基づき説明する。
【００１６】
本発明の第１の実施の形態のポンプ装置は、図１に示すように、駆動源となるモータ１と、このモータ１の駆動力によって回転するインペラ２と、このインペラ２を回転自在に収納するポンプ室３を有している。このポンプ装置は、液体を貯めるための容器（図示省略）の側壁の外側に配置されるタイプのものとなっている。より具体的には、このポンプ装置は、ジャーポットの給湯用としての使用に適したものであり、ジャーポットの貯水タンクの側壁と外装ケースの側壁の間のスペースに配置されるように想定されたものとなっている。そのため、図１に示すように、このポンプ装置は、立てた状態とし、モータ１の下部に配置されたインペラ２の回転水平面Ｌが図示しない貯水タンク内に充填される液体の液面と平行となるように配置されることにより使用される。
【００１７】
モータ１は、当該ポンプ装置を上述したジャーポット（図示省略）の所定位置に固定するための固定用部材４に、出力軸１ａが下方に回転自在に突出するように保持されている。そして、この状態におけるモータ１の上方には、電源供給部となる端子１ｂが突出され、この端子１ｂに電源（図示省略）との接続線５が接続されている。
【００１８】
そして、出力軸１ａの下端部、すなわちこのモータ１の最下部には、円盤状部材６ａの回転中心部が固定されており、この円盤状部材６ａの下面にはリング状の回転マグネット６ｂが固定されている。これら出力軸１ａ、円盤状部材６ａ及び回転マグネット６ｂは、モータケース１ｃの下端面に固定された収納ケース７内に収納されている。
【００１９】
この収納ケース７は、この取り付け状態において、カップを裏返したような形状となっており、出力軸１ａを支承する軸受け１ｄを内周に保持すると共に出力軸１ａを下方に挿通させるための穴を中央に備えた上底面７ａがモータケース１ｃの下端面に固定されている。そして、この上底面７ａの外周端部分には、出力軸１ａ、円盤状部材６ａ及び回転マグネット６ｂを径方向外側から覆うために、下方に延出された筒状部７ｂが形成されている。このように構成されたモータ１は、接続線５を介して電力が供給されると、上述の収納ケース７内で出力軸１ａと共に円盤状部材６ａ及び回転マグネット６ｂが回転するようになっている。
【００２０】
上述の収納ケース７の下方には、インペラ２を収納するポンプ室３が配置されている。このポンプ室３は、インペラ２の軸方向両側からインペラ２を挟むように配置された略円盤状の平面部が設けられると共に、この両平面部の外周端縁を略円筒状の壁部で連結するような形状となっている。ポンプ室３の上側の平面部は、当該ポンプ室３の内部空間とモータ１側とを隔絶する隔壁３１となっている。この隔壁３１は、収納ケース７の筒状部７ｂの最下端に溶着されることにより当該ポンプ室３の内部空間とモータ１側とを隔絶するようになっている。
【００２１】
この隔壁３１のインペラ２の上端側と対向する部位の中央には、軸嵌合部３１ａが設けられている、この軸嵌合部３１ａにインペラ２を回転自在に支持するインペラ軸２１の上端がはめ込まれて固定されており、このインペラ軸２１を回転中心としてインペラ２がポンプ室３内で回転するようになっている。
【００２２】
インペラ２は、インペラ軸２１の下端方向からこのインペラ軸２１に被せられるキャップ状の回転中心部２２を有すると共に、この回転中心部２２の半径方向外側に放射状に伸びる複数の羽根を有する羽根部２３とを有している。そして、羽根部２３には、上述の隔壁３１を隔てて駆動源側の回転マグネット６ｂと対向する従動マグネット２４が備えられている。このため、モータ１の駆動力により回転マグネット６ｂが回転すると、インペラ２は隔壁３１を通して磁気吸引力により回転マグネット６ｂに従動し回転する。
【００２３】
上述したように構成されたインペラ２を収納するポンプ室３の下側の平面部の中央には、インペラ２が回転することにより容器（図示省略）内から当該ポンプ室３内に液体を吸入する吸入口３２が設けられている。この吸入口３２の中央には、インペラ２のスラスト下降を受けるスラスト受け部３２ａがポンプ室３を囲むケースに一体的に設けられている。このスラスト受け部３２ａは、液体を吸引した際に受ける圧力等によりインペラ２が下降した際に、インペラ２の回転中心部２２がこのスラスト受け部３２ａに当接しそれ以上下降させない機能を有するものとなっている。
【００２４】
また、インペラ２の半径方向外側となるポンプ室３の外周壁部には、インペラ２の回転によりポンプ室３内に吸入した液体を吐出させるための吐出口３３が設けられている。そして、この吐出口３３には、当該ポンプ室３の径方向外側に突出されかつ上方へ延出された吐出管３４が連設されている。このように構成されたポンプ室３は、内部でインペラ２が回転することにより上述の吸入口３２から液体が流れ込み、この流れ込んだ液体が吐出口３３から吐出管３４へ吐出されるようになっている。
【００２５】
なお、上述したポンプ室３は、収納ケース７側に配置される第１のケーシング３７と、この第１のケーシング３７の下部に配置される第２のケーシング３８によって形成されている。第１のケーシング３７は、上述した隔壁３１と、この隔壁３１の外周縁部分から下方に延出されインペラ２の半径方向外側を囲む外周壁部３５を有している。また、さらに第１のケーシング３７には、上述した吐出口３３の一部と吐出管３４も一体的に形成されている。そして、この筒状壁部３５の下端縁部分は、解放端となっており、この解放端部分を塞ぐように第２のケーシング３８が被せられ溶着されている。これによって、第１のケーシング３７と第２のケーシング３８とが一体化されている。なお、第２のケーシング３８には、吐出口３３の一部を構成する部分と、吐出口３３から吐出管３４側へ液体をスムーズに移動させるために上方へ傾斜させた傾斜部３８ａが設けられている。
【００２６】
以下に、上述した隔壁３１についてさらに詳述する。
【００２７】
隔壁３１は、径方向における寸法がインペラ２のインペラ２の外径より若干大きく構成されている。そのため、インペラ２の上端と対向する対向部位Ｘと、この対向部位Ｘよりさらに径方向外側に配置されインペラ２の上端と対向しない非対向部位Ｙとを備えていることとなる。対向部位Ｘのうち上述の吐出口３３の近傍部分には、半径方向外側に行くにしたがい重力と反する方向、すなわち図１において上方に徐々に傾斜する傾斜部３６が設けられている。なお、この第１の実施の形態では、傾斜部３６は、上述の対向部位Ｘの吐出口３３近傍からさらに吐出口３３の近傍となる非対向部位Ｙ側にも連続して形成され、さらにその外側の吐出管３４との連設部位３９まで連続した傾斜となっている。
【００２８】
このように、上述した本発明の第１の実施の形態のポンプ装置は、インペラ２の上端側に配置される隔壁３１における吐出口３３の近傍となる部分に、半径方向外側に行くにしたがい重力と反する方向に傾斜する傾斜部３６が設けられている。そのため、このポンプ装置を、上述したようにジャーポットの給湯用装置として縦置き配置した場合に、沸騰直後に発生するキャビテーション現象によるインペラの空回りを最小限に食い止めることが可能となる。すなわち、沸騰直後の湯をジャーポットの外部へ吐出させる場合に、インペラ２の回転中心に発生する負圧によって成長する気泡が、インペラ２の裏側、すなわちポンプ室３の隔壁３１とインペラ２との間のスペースＳに回り込むが、この気泡が上述の傾斜部３６を伝ってインペラ２の径方向外側へスムーズに移動する。このため、この気泡がインペラ２を包み込むように作用せず、吐出口３３より排出されることとなる。この結果、インペラ２の空回りによる湯の供給不全を防止することができる。
【００２９】
なお、このように上述の第１の実施の形態では、傾斜部３６を設けることにより、従来構造のポンプ装置と比べて、沸騰直後の給湯時におけるインペラ２の空回りが起こりにくい構造となっている。このため、従来構造のポンプ装置よりインペラ２の外径Ｒを大きめに構成し、この大きめのインペラ２を低速回転させることにより、小電力で効率よく給湯をすることが可能となる。なお、この効果は、後述する第２および第３の実施の形態においても同様である。
【００３０】
なお、図１に示すように、この第１の実施の形態では、両マグネット６ａ，６ｂは上述したインペラ２の回転水平面Ｌに対して略平行な面同士で隔壁３１を隔てて平面的に対向配置されている。上述の隔壁３１には、傾斜部３６が形成されているが、この傾斜部３６は両マグネット６ａ，６ｂとの対向部位Ｘが外周端近傍付近からその外側にかけて形成されたものとなっている。そのため、隔壁３１を隔てて対向配置される両マグネット６ａ，６ｂは、その対向面同士を平面形状としても傾斜部３６があることによる影響をそれ程受けずに軸方向において近接配置することができる。この結果、両マグネット６ａ，６ｂ間は、磁気吸引力が効率良く伝達されるようになっている。加えて、このような構造としたことにより、両マグネット６ａ，６ｂを同じ型構造で製造することが可能となり、製造コストを低く抑えることも可能となる。
【００３１】
なお、上述の第１の実施の形態は、本発明の好適な実施の形態の例であるが、これに限定されるものではなく、本発明の要旨を逸脱しない範囲において種々変形実施可能である。たとえば、上述の第１の実施の形態では、傾斜部３６は、隔壁３１の吐出口３３の近傍部位において、インペラ２の上端との対向部位Ｘから始まり、さらにその外側の非対向部位Ｙを経て吐出管３４との連設部位３９まで延出されている。しかし、傾斜部３６は、吐出管３４との連設部位３９までは延出されていなくとも良い。また、傾斜部３６は、対向部位Ｘのみに形成されていても良いし、あるいは非対向部位Ｙのみに形成されていても良い。加えて、対向部位Ｘ部分に形成され、非対向部位Ｙに相当する部分は傾斜部を設けず平面として、吐出管３４との連設部位３９には対向部位Ｘと同様な傾斜部を設けるようにしても良い。さらに、傾斜部３６は、非対向部位Ｙから始まり、吐出管３４との連設部位３９までそのまま延出されていても良い。
【００３２】
またさらに、図２に示す第２の実施の形態のような構成としても良い。すなわち、ポンプ室３の内部空間とモータ１側とを隔絶する隔壁３１の中央側（上述した第１の実施の形態における傾斜部３６より半径方向内側）を平面とせず、頂点部３１Ａがインペラ２側に突出する円錐形状とし、上述した傾斜部３６を吐出口３３近傍のみならず隔壁３１の全周に形成するようにしても良い。このように傾斜部３６をインペラ２との対向部位Ｘの中央付近からインペラ２の外側に対応する部位に向かって大きく形成すると、キャビテーション発生時にインペラ２の上端縁中央に回り込んだ気泡がインペラ２の半径方向外側により移動しやすいものとなる。したがって、この第２の実施の形態は、キャビテーションによるインペラ２の空転をより確実に防止できるものとなっている。
【００３３】
なお、この図２に示した第２の実施の形態では、対向部位Ｘの外側に配置される非対向部位Ｙまで、傾斜部３６が連続し、さらにその外側の吐出管３４との連設部位３９まで傾斜部３６が延出されているが、この傾斜部３６は対向部位Ｘのみに形成されていても良いし、あるいは対向部位Ｘおよび吐出管３４との連設部位３９のみ（非対向部位Ｙには形成せずに）に形成されていても良い。
【００３４】
なお、図２に示した第２の実施の形態では、隔壁３１を略円錐形状とした構成により、モータ１側の回転マグネット６ｂとインペラ２の従動マグネット２４との距離Ｈ１が、上述の第１の実施の形態における回転マグネット６ｂと従動マグネット２４間の距離Ｈに比べて大幅に広がっている（この第２の実施の形態では、上述の第１の実施の形態に比べて実際には３倍程度に広がる）。このため、第２の実施の形態は、第１の実施の形態に比べて、キャビテーションによるインペラ２の空転防止対策としてはよりよい効果を発揮するものの、両マグネット６ｂ，２４間に発生する磁気力を効率よく伝えられないという問題を抱える。しかしながら、ポンプ効率をそれ程追求しない場合は、このような構成であっても問題とならない。
【００３５】
なお、図３に示す第３の実施の形態は、上述したような第２の実施の形態における両マグネット６ｂ，２４間の距離Ｈ１を狭めポンプ効率を向上させたものとなっている。すなわち、第３の実施の形態では、隔壁３１の形状を上述の第２の実施の形態と同様とし、この隔壁３１の傾斜部３６の傾斜角に合わせて、隔壁３１の両側に配置される両マグネット６ｂ，２４にも傾斜面６ｃ，２４ｃがそれぞれ形成される。これにより、両マグネット６ｂ，２４間の距離Ｈ２は、上述した第１の実施の形態の両マグネット間の距離Ｈとほぼ同様のレベルとなる。この結果、この第３の実施の形態は、第２の実施の形態の効果、すなわちキャビテーション発生時に気泡がインペラ２の半径方向外側により移動しやすいという効果を奏しつつ、磁気力の伝達効率も良いものとなる。
【００３６】
なお、この第３の実施の形態では、各マグネット６ｂ，２４のそれぞれの隔壁３１との対向面を共に傾斜させた構成となっているが、傾斜面を備えるマグネットはいずれか一方でも良い。このように隔壁３１を略円錐形状とした場合、第２の実施の形態のように両マグネット６ｂ，２４共に傾斜面のない構成に比べれば、両マグネット６ｂ，２４のいずれか一方でも隔壁３１の傾斜角に対応する傾斜面を備える構成とすることにより、両マグネット６ｂ，２４間の距離が縮まり磁気効率を高めることができる。
【００３７】
なお、上述の各実施の形態は、それぞれ本発明の好適な実施の形態の一例であるが、これらに限定されるものではなく、本発明の要旨を逸脱しない範囲において種々変形実施可能である。たとえば、上述の各実施の形態では、ポンプ室３のインペラ２の上端側に配置された面、すなわち隔壁３１，３１Ａに形成された傾斜部３６はいずれも、他の部分まで含めて形成されているか否かに関係なく、少なくとも吐出口３３近傍に形成されているが、この傾斜部３６は吐出口３３近傍部分に形成せず、たとえば中央付近のみに形成しても良い。このように構成しても、キャビテーション現象により発生しインペラ２の回転中心付近に留まろうとする気泡が、傾斜部３６を伝ってインペラ２の外側方向へ移動可能となるためである。
【００３８】
また、上述の各実施の形態では、隔壁３１を隔てた状態で両マグネット６ｂ，２４が対向配置され、モータ１の駆動力をこれら両マグネット６ｂ，２４間の磁気吸引力を利用してインペラ２に伝達する、いわゆるマグネットカップリング方式を採用したものとなっている。しかし、本発明は、このようなマグネットカップリング方式ではなく、例えばモータ出力軸をポンプ室内に直接突出させ、このモータ出力軸を挿通させるための穴部分にシール部材がはめ込まれたような構造のポンプ装置にも適用できる。
【００３９】
また、上述の各実施の形態では、モータ１がポンプ室３の上方に縦型に配置される例を示したが、モータ１をポンプ室３の下方に設ける構成としても良い。さらに、モータ１を縦型ではなく横置きし、その出力軸に歯車を係合させ、直交する方向に出力を取り出す構造としても良い。例えば、出力軸にウォームを設け、そのウォームに係合する歯車の軸に回転マグネット６ｂを設けるようにしても良い。
【００４０】
【発明の効果】
以上説明したように、本発明のポンプ装置は、ポンプ室のインペラの上端側に配置された面に、半径方向外側に行くにしたがい重力と反する方向に傾斜し、この傾斜を伝わってインペラの半径方向外側へ気泡が移動できる傾斜部を設けている。そのため、このポンプ装置をジャーポットの給湯用装置としてジャーポット内の貯水タンクの外側のスペースに配置した場合に、沸騰直後のキャビテーション現象により発生する気泡をインペラの半径方向外側へ追いやることができる。そのため、気泡にインペラが包まれることが防止され、沸騰直後の給湯時におけるインペラの空回り現象を必要最小限とすることが可能となる。
【図面の簡単な説明】
【図１】本発明の第１の実施の形態におけるポンプ装置を示した縦断面図である。
【図２】本発明の第２の実施の形態におけるポンプ装置を示した縦断面図である。
【図３】本発明の第３の実施の形態におけるポンプ装置を示した縦断面図である。
【符号の説明】
１  モータ（駆動源）
２  インペラ
３  ポンプ室
６ｂ  回転マグネット
６ｃ  傾斜面
２４  従動マグネット
２４ｃ  傾斜面
３１  隔壁
３２  吸入口
３３  吐出口
３４  吐出管
３６  傾斜部
３９  連設部位
Ｌ  回転水平面
Ｘ  対向部位
Ｙ  非対向部位
【図１】
0004012667.tif 000002
【図２】
0004012667.tif 000003
【図３】
0004012667.tif 000004